(57)【要約】【課題】浴槽湯口金具のフィルタカバーを取外し、取付ける際に、手でつかみやすく、水濡れしていても廻しやすい浴槽湯口フィルタカバーを提供する。また、構造簡単で、製作容易で量産できる浴槽湯口フィルタカバーを提供する。【解決手段】トレイ状に成形された浴槽湯口フィルタカバーにおいて、カバー本体１０Ａと、フィルタ穴２０Ａと、突出縁３０Ａとを備え、フタ部１０１Ａの外周部を手指でつかむことができるように、突出縁３０Ａを形成しているものである。【選択図】        図１
0003132607.tif 000002
【実用新案登録請求の範囲】
【請求項１】
トレイ状に成形された浴槽湯口フィルタカバーにおいて、フタ部の外周部を手指でつかむことができるように、突出縁を形成していることを特徴とする浴槽湯口フィルタカバー。
【請求項２】
前記突出縁が、すべり止めの凹凸を設けて形成されていることを特徴とする請求項１記載の浴槽湯口フィルタカバー。
【請求項３】
前記突出縁が、多角形に形成されていることを特徴とする請求項１記載の浴槽湯口フィルタカバー。
【請求項４】
前記突出縁の一部に、１個又は複数個の指入れできる穴部を設けていることを特徴とする請求項１記載の浴槽湯口フィルタカバー。
【考案の詳細な説明】
【技術分野】
【０００１】
本考案は、浴槽給湯口に用いる浴槽湯口フィルタカバーに関するものである。
【背景技術】
【０００２】
最近の浴槽湯口フィルタカバーは、給湯口に被せる深さが薄くなってきており、掃除等で取外し、取付ける際に、手でつかみにくく、水（又は湯）濡れの場合は、特に手がすべって廻しにくい欠点があった。
そこで、本考案者は、浴槽湯口フィルタカバーのフタ部の外周部に、突出縁を設け、突出縁の形状を手でつかみやすく、水（又は湯）濡れしていても手指がすべりにくく、廻しやすくすることに成功した。
【特許文献１】特開平１１−２８７５２０号公報
【特許文献２】実用新案登録第３０３５８２６号公報
【特許文献３】実用新案登録第３０２２０３４号公報
【特許文献４】実用新案登録第３０１１２２５号公報
【考案の開示】
【考案が解決しようとする課題】
【０００３】
本考案は、浴槽湯口金具のフィルタカバーを取外し、取付ける際に、手でつかみやすく、水濡れしていても廻しやすい浴槽湯口フィルタカバーを提供するものである。
また、本考案は、構造簡単で、製作容易で量産できる浴槽湯口フィルタカバーを提供するものである。
【課題を解決するための手段】
【０００４】
本考案の浴槽湯口フィルタカバーは、上記課題を達成するため、図示するように、請求項１の考案は、トレイ状に成形された浴槽湯口フィルタカバーにおいて、フタ部の外周部を手指でつかむことができるように、突出縁を形成しているものである。
また、本考案の浴槽湯口フィルタカバーは、上記課題を達成するため、図示するように、請求項２の考案は、前記突出縁が、すべり止めの凹凸を設けて形成されているものである。
また、本考案の浴槽湯口フィルタカバーは、上記課題を達成するため、図示するように、請求項３の考案は、前記突出縁が、多角形に形成されているものである。
さらに、本考案の浴槽湯口フィルタカバーは、上記課題を達成するため、図示するように、請求項４の考案は、前記突出縁の一部に、１個又は複数個の指入れできる穴部を設けているものである。
本考案において、フィルタカバーは、薄合成樹脂板の一体成形したもの、薄金属板をプレス成形したものなどでつくられる。
また、本考案において、突出縁のすべり止めの凹凸の大きさは、手指がすべりにくい程度の大きさが好ましい。
また、本考案において、突出縁の多角形状のものは、各辺が手指の間にはまる程度の多角数（例えば６〜１２角形等）の等辺多角形が好ましい。
さらに、本考案において、突出縁の断面形状は、手指でつかむ際に、痛くならない程度の丸みのある断面が好ましい。
【考案の効果】
【０００５】
本考案の浴槽湯口フィルタカバーは、取外し、取付けの際、手でつかみやすく、滑りにくく、廻してロックしやすい。
また、一体成形して量産できるので、コストを大巾に下げることができる。
【考案を実施するための最良の形態】
【０００６】
本考案の最良の形態が実施例１乃至４に記載されている。
【実施例１】
【０００７】
本考案実施例１が図１及び図２に示されている。
本考案浴槽湯口フィルタカバーは、カバー本体１０Ａと、フィルタ穴２０Ａと、突出縁３０Ａとを備えている。
カバー本体１０Ａは、円形のトレイ状に成形され、フタ部１０１Ａに多数のフィルタ穴２０Ａが設けられている。
フィルタ穴２０Ａは、ゴミ、毛髪等が通りにくい小穴で、カバー本体１０Ａのフタ部１０１Ａに任意の形状で穿設されている。
突出縁３０Ａは、カバー本体１０Ａのフタ部１０１Ａの外周部に、断面Ｃ字形に突出して形成されている。
本考案実施例のフィルタカバーを浴槽湯口金具に取付け、取外しするときは、カバー本体１０Ａの外周部の突出縁３０Ａに手指を掛けてはめ込み回転すればよい。
【実施例２】
【０００８】
本考案実施例２が図３及び図４に示されている。
本考案浴槽湯口フィルタカバーは、カバー本体１０Ｂと、フィルタ穴２０Ｂと、突出縁３０Ｂとを備えている。
カバー本体１０Ｂ、フィルタ穴２０Ｂの構成及び作用は、本考案実施例１と同じであるので詳細説明は省略する。
突出縁３０Ｂは、カバー本体１０Ｂのフタ部１０１Ｂの外周部に、断面コ字形で、丸味のある突出部３０１Ｂを、一定間隔毎に設けたもので形成されている。
【実施例３】
【０００９】
本考案実施例３が図５及び図６に示されている。
本考案浴槽湯口フィルタカバーは、カバー本体１０Ｃと、フィルタ穴２０Ｃと、突出縁３０Ｃとを備えている。
カバー本体１０Ｃ、フィルタ穴２０Ｃの構成及び作用は、本考案実施例１と同じであるので詳細説明は省略する。
突出縁３０Ｃは、カバー本体１０Ｂのフタ部１０１Ｃの外周部に、断面Ｃ字形で、等辺多角形状に形成されている。
【実施例４】
【００１０】
本考案実施例４が図７及び図８に示されている。
本考案浴槽湯口フィルタカバーは、カバー本体１０Ｄと、フィルタ穴２０Ｄと、突出縁３０Ｄとを備えている。
カバー本体１０Ｄ、フィルタ穴２０Ｄの構成及び作用は、本考案実施例１と同じであるので詳細説明は省略する。
突出縁３０Ｄは、カバー本体１０Ｄのフタ部１０１Ｄの外周部に、断面Ｃ字形で形成され、一部に指入れできる穴部３０２Ｄを突出している。
突出縁３０Ｄの穴部３０２Ｄは２個以上設けてもよい。
フィルタカバーを浴槽湯口金具に取付け、取外しするときは、カバー本体１０Ｄの外周部の穴部３０２Ｄに指を入れ、突出縁３０Ｄに他の指を掛けて回転すればよい。
【産業上の利用可能性】
【００１１】
本考案は、構造簡単で、製作容易で量産しやすい。
【図面の簡単な説明】
【００１２】
【図１】本考案の実施例を示す斜視図である。
【図２】図１の突出縁の拡大断面図である。
【図３】本考案の別の実施例を示す斜視図である。
【図４】図３の突出縁の拡大断面図である。
【図５】本考案の別の実施例を示す斜視図である。
【図６】図５の突出縁の拡大断面図である。
【図７】本考案のさらに別の実施例を示す斜視図である。
【図８】図７の突出縁の拡大断面図である。
【符号の説明】
【００１３】
１０Ａ、１０Ｂ、１０Ｃ、１０Ｄ    カバー本体
２０Ａ、２０Ｂ、２０Ｃ、２０Ｄ    フィルタ穴
３０Ａ、３０Ｂ、３０Ｃ、３０Ｄ    突出縁
１０１Ａ、１０１Ｂ、１０１Ｃ、１０１Ｄ    フタ部
３０１Ｂ    突出部
３０２Ｄ    穴部
【図１】
0003132607.tif 000003
【図２】
0003132607.tif 000004
【図３】
0003132607.tif 000005
【図４】
0003132607.tif 000006
【図５】
0003132607.tif 000007
【図６】
0003132607.tif 000008
【図７】
0003132607.tif 000009
【図８】
0003132607.tif 000010